(57)【特許請求の範囲】
【請求項１】
外部から電力が供給される受電部と、
前記受電部と接続され、前記電力を所定の駆動電力に変換する電源部と、
前記電源部と接続され、前記駆動電力により発光する光源部と、
前記電源部及び前記光源部を収納する筐体部と、
入射面から入射させた前記光源部の光を出射面から導出させる板状の導光板を前記筐体部の一端から突出して設けた導光部とを有し、
前記導光板は、前記入射面と隣接し直交した第１の出射面と、前記入射面に対向した第２の出射面とを備え、
前記第２の出射面は、前記筐体部の径方向の外側に設けられた曲面と、前記筐体部の径方向の内側に設けられ前記入射面の法線方向に対して所定の角度で傾斜した平面とが接した位置が、前記光源部から該光源部に直交する方向に向かって最も離間していること
を特徴とする照明装置。
【請求項２】
前記第２の出射面の前記平面と前記第１の出射面とが接した位置は、前記第２の出射面の前記曲面と前記第１の出射面とが接した位置と比して前記入射面から近いこと
を特徴とする請求項１に記載の照明装置。
【請求項３】
前記導光部は、前記筐体部の径方向の外側に向かって放射状に形成されていること
を特徴とする請求項１に記載の照明装置。
【請求項４】
前記筐体部の径方向の外側に設けられた前記導光板の複数の前記第１の出射面は、隣接して鈍角を成す多面体を形成していること
を特徴とする請求項１に記載の照明装置。
【請求項５】
前記導光板の前記出射面の１面以上に、前記光源部の光を拡散光として導出させる凹状又は凸状のパターンが形成されていること
を特徴とする請求項１に記載の照明装置。
【発明の詳細な説明】
【技術分野】
【０００１】
本発明は、多品種の導光板を立体的に配設した照明装置に関する。
【背景技術】
【０００２】
従来、発光ダイオードを光源に用いたＬＥＤランプに関して、白熱電球で４０Ｗ〜６０Ｗ相当の明るさを得るために、例えば中心から外周に向かって羽根状に分岐された樹脂製の導光羽を備えたＬＥＤランプの構成がある（例えば、特許文献１参照。）。
【先行技術文献】
【特許文献】
【０００３】
【特許文献１】特開２００８−７７９００号公報
【発明の概要】
【発明が解決しようとする課題】
【０００４】
しかしながら、前述の様な構成では、導光羽の一端から入射された高輝度ＬＥＤモジュールの光が、導光羽の他端から直進方向に導出されるため、配光特性が偏るという問題があった。
【０００５】
そこで、本発明は前述の技術的な課題に鑑み、導光板の入射面から入射された光源の光を、該導光板の内部において多重反射により減衰させることなく、出射面から所定の放射角度で導出させることができる照明装置の提供を目的とする。
【課題を解決するための手段】
【０００６】
前述の課題を解決すべく、本発明に係る照明装置は、外部から電力が供給される受電部と、前記受電部と接続され、前記電力を所定の駆動電力に変換する電源部と、前記電源部と接続され、前記駆動電力により発光する光源部と、前記電源部及び前記光源部を収納する筐体部と、入射面から入射させた前記光源部の光を出射面から導出させる板状の導光板を前記筐体部の一端から突出して設けた導光部とを有し、前記導光板は、前記入射面と隣接し直交した第１の出射面と、前記入射面に対向した第２の出射面とを備え、前記第２の出射面は、前記筐体部の径方向の外側に設けられた曲面と、前記筐体部の径方向の内側に設けられ前記入射面の法線方向に対して所定の角度で傾斜した平面とが接した位置が、前記光源部から該光源部に直交する方向に向かって最も離間していることを特徴とする。
【発明の効果】
【０００７】
本発明に係る照明装置によれば、導光板の入射面から入射された光源の光を、該導光板の内部において多重反射により減衰させることなく、出射面から所定の放射角度で導出させることができる。
【図面の簡単な説明】
【０００８】
【図１】本発明の第１の実施形態に係る照明装置を示す斜視図である。
【図２】本発明の第１の実施形態に係る照明装置を構成毎に分解して示す斜視図である。
【図３】本発明の第１の実施形態に係る照明装置の導光部に設けられる導光板の基本的な光学特性を示す模式図であり、（ａ）は導光板の出射面に臨界角以下の光が入射された場合の模式図、（ｂ）は導光板の出射面に臨界角を超える光が入射された場合の模式図である。
【図４】本発明の第１の実施形態に係る照明装置の導光部に設けられる略台形台形状に形成された導光板に係る光学特性を示す模式図であり、（ａ）は導光板に係る光学特性を第１の出射面から示す模式図、（ｂ）は導光板を第２の出射面から示す模式図である。
【図５】本発明の第１の実施形態に係る照明装置の導光部に設けられる略台形台形状に形成された導光板に係る光学特性を第１の出射面から示す模式図であり、（ａ）乃至（ｄ）は各出射面における所定の光の出射箇所での光学特性をそれぞれ示す模式図である。
【図６】本発明の第１の実施形態に係る照明装置の導光部に設けられる略台形台形状に形成された導光板に係る光学特性を第２の出射面から示す模式図である。
【図７】本発明の第１の実施形態に係る照明装置の導光部に設けられる曲面を含む多面体形状に形成された導光板に係る光学特性を第１の出射面から示す模式図である。
【図８】本発明の第１の実施形態に係る照明装置の導光部に設けられる曲面を含む多面体形状に形成された導光板に係る光学特性を第１の出射面から示す模式図であり、（ａ）乃至（ｄ）は各出射面における所定の光の出射箇所での光学特性をそれぞれ示す模式図である。
【図９】本発明の第１の実施形態に係る照明装置を構成する曲面と斜面が隣接した導光板を設けた導光部と該導光部に隣接した光源部を示す斜視図である。
【図１０】本発明の第１の実施形態に係る照明装置における曲面と斜面が隣接した導光板の光学特性を該導光板の側方から示す模式図であり、図９に対応している。
【図１１】本発明の第１の実施形態に係る照明装置の導光部に設けられる中心から外側に向かって入射面との成す角度が段階的に大きくなるように複数の平面を連ねて多面体形状に形成された導光板に係る光学特性を第１の出射面から示す模式図である。
【図１２】本発明の第１の実施形態に係る照明装置の導光部に設けられる一方から他方に向かって入射面との成す角度が段階的に大きくなるように複数の平面を連ねて多面体形状に形成された導光板に係る光学特性を示す模式図であり、（ａ）は導光板に係る光学特性を第１の出射面から示す模式図、（ｂ）は導光板に係る光学特性を第２の出射面から示す模式図である。
【図１３】本発明の第２の実施形態に係る照明装置を示す斜視図である。
【図１４】本発明の第２の実施形態に係る照明装置を構成毎に分解して示す斜視図である。
【図１５】本発明の第２の実施形態に係る照明装置を構成する導光板と該導光板の入射面に隣接した光源をそれぞれ断面で示す模式図である。
【図１６】本発明の第２の実施形態に係る照明装置を構成する導光板と該導光板の入射面に隣接した光源をそれぞれ断面で示す模式図であり、（ａ）は凹状のパターンが第１の出射面の片側に均等な深さで複数形成された導光板と該導光板の入射面に隣接した光源を示す模式図、（ｂ）は凹状のパターンが第１の出射面の両側に入射面から離間する毎に深くなるように複数形成された導光板と該導光板の入射面に隣接した光源を示す模式図である。
【図１７】本発明の第２の実施形態に係る照明装置を構成する四角錐から成るパターンがマトリクス状に複数形成された導光板の一部を示す模式図である。
【図１８】本発明の第２の実施形態に係る照明装置を構成する導光板に形成された四角錐のパターンを示す模式図であり、（ａ）は該パターンを導光板の第１の出射面から示す模式図、（ｂ）は該パターンを導光板の第２の出射面から断面で示す模式図である。
【発明を実施するための形態】
【０００９】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１０】
また、以下の説明においては、最初に本発明の第１の実施形態の照明装置１について図１乃至図１２を参照しながら説明する。次に本発明の第２の実施形態の照明装置２について図１３乃至図１８を参照しながら説明する。次に本発明の第２の実施形態の照明装置２に設けられた導光板の製造方法について説明する。最後に本発明の第１及び第２の実施形態の各照明装置の構成と主な作用効果について請求項毎に説明する。
【００１１】
［第１の実施形態］
以下、本発明の第１の実施形態の照明装置１について、図１乃至図１２を参照しながら、具体的に説明する。なお、先ず照明装置１の構成について図１及び図２を参照しながら説明し、次に照明装置１に設けられた導光部５０に係る構成の詳細及び光学特性について図３乃至図８を参照しながら説明し、さらに照明装置１に設けられた導光部５０の変形例に係る構成及び光学特性について図７乃至図１２を参照しながら説明する。
【００１２】
先ず、照明装置１の構成について、図１及び図２を参照しながら、具体的に説明する。第１の実施形態の照明装置１は、例えば図１及び図２に示すように、受電部１０、電源部２０、光源部３０、筐体部４０、及び導光部５０から構成される。以下、照明装置１の各構成について順に説明する。
【００１３】
第１の実施形態の照明装置１を構成する受電部１０は、外部から電力が供給される。この様な受電部１０は、図２に示すように、口金１１及び絶縁ケース１２から構成されている。以下、受電部１０の構成について説明する。受電部１０の口金１１は、金属から成り、例えば外周面１１ａが螺旋状の凹凸を備えた円錐形から形成され、内部に空洞を有している。この様な口金１１の外周面１１ａを、例えば屋内施設に施工されているソケットにねじ込んで、電力の供給を受ける。また、口金１１の直径は、例えば、一般的なサイズである直径２６ｍｍである。なお、受電部１０に口金１１を設ける構成に限定されることはなく、例えば、コンセントに差し込んで電力の供給を受けるプラグを設ける構成や、発電機又は蓄電池を接続して電力の供給を受ける端子を設ける構成としても良い。また、受電部１０の絶縁ケース１２は、例えば絶縁性を有するプラスチックスから成り、円筒形状から形成されている。この様な絶縁ケース１２は、該絶縁ケース１２の一端１２ａを口金１１の内周面１１ｂに嵌め込んで接合され、且つ他端１２ｂを後述する筐体部４０の筐体４１に嵌め込んで接合されている。また、絶縁ケース１２の内部の収納凹部１２ｃには、後述する電源部２０の電源回路２１が収納されている。また、絶縁ケース１２の他端１２ｂに設けられたネジ孔１２ｄは、後述する筐体部４０の筐体４１と接合して固定するためのものである。
【００１４】
第１の実施形態の照明装置１を構成する電源部２０は、受電部１０と接続され、受電部１０の口金１１に接続された配線２２を介して外部から供給された電力を所定の駆動電力に変換する。この様な電源部２０は、図２に示すように、電源回路２１、配線２２、及び配線２３から構成されている。以下、電源部２０の構成について説明する。電源部２０の電源回路２１は、受電部１０の口金１１に接続された配線２２を介して外部から入力された電力を、後述する光源部３０の光源３１の定格に合わせて、１００Ｖから例えば２４Ｖに降圧、直流の定電流への整流、整流後のパルス変調、及びノイズの除去等を行う。この様な電源回路２１は、例えば、変圧器、整流器、及びコンデンサ等から構成される。また、電源回路２１で生成された駆動電力は、配線２３を介して後述する光源部３０の光源３１に供給される。
【００１５】
第１の実施形態の照明装置１を構成する光源部３０は、電源部２０と接続され、該電源部２０から供給された駆動電力により発光する。この様な光源部３０は、図２に示すように、光源３１及び基板３２から構成されている。以下、光源部３０の構成について説明する。光源部３０の光源３１は、例えば白色で発光する発光ダイオード（ＬＥＤ：Ｌｉｇｈｔ  Ｅｍｉｔｔｉｎｇ  Ｄｉｏｄｅ）から構成されている。また、図２に示すように、複数の光源３１が、後述する導光部５０を構成する導光板５１の入射面５１ａ及び導光板５２の入射面５２ａの直下に設けられている。また、光源３１は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。同様に、光源３１を、紫外域の光を発するＬＥＤで構成しても良い。同様に、光源３１を、例えば有機発光ダイオード、蛍光管、冷陰極管、又はネオン管で構成しても良い。
【００１６】
また、光源部３０に関し、基板３２は、光源３１を所定の配列で実装するための部材である。この様な基板３２は、例えば、軽量で一定の強度を有するアルミニウムから成り、円盤状に形成されている。なお、基板３２には、放熱性に優れた銅板や、加工性に優れたガラスエポキシ基板を用いても良い。ここで、図２に示すように、基板３２には、例えば表面実装型のＬＥＤから成る光源３１が十字状に１０個配列されている。また、図示していないが、基板３２に開口された配線穴３２ａに配線２３が通され、該配線２３が例えば半田付けパッド３２ｂに結線される。なお、例えば、配線２３にコネクタを設け、該コネクタを基板３２に設けられた図示せぬソケットに着脱可能に挿入する構成としても良い。また、詳細は後述するが、基板３２は、該基板３２に複数開口されたネジ孔３２ｃを介して、後述する筐体部４０の筐体４１にネジ留めされる。
【００１７】
第１の実施形態の照明装置１を構成する筐体部４０は、電源部２０及び光源部３０を収納する。この様な筐体部４０は、図２に示すように、筐体４１、固定部材４２、保持部材４３、及び固定部材４４から構成されている。以下、筐体部４０の構成について説明する。筐体４１は、例えばアルミニウムから成り、半球形状から形成されている。また、筐体４１に開口された配線孔４１ａには、図示していないが、前述した電源部２０の配線２３が通される。また、筐体４１に開口されたネジ孔４１ｂには、例えばサラネジから成る固定部材４２が通された上で、前述した受電部１０の絶縁ケース１２のネジ孔１２ｄにネジ留めされることにより、絶縁ケース１２と筐体４１が接合されている。また、筐体４１に形成された基板収納凹部４１ｃに、基板３２の裏面が当接される。また、筐体４１の外周に形成された放熱面４１ｅには、筐体４１の表面積を増加させて電源部２０及び光源部３０で発生した熱を効率良く放熱させるため、例えば湾曲した凹凸形状から成る放熱用のフィンを複数形成しても良い。なお、例えば光源３１の駆動電流値が十分に低い場合や、電源回路２１での電力損失が小さい場合には、放熱面４１ｅに放熱用のフィンを設けなくても良い。
【００１８】
また、筐体部４０に関し、保持部材４３は、一対から成り、例えば図２に示すように、後述する導光部５０の導光板５１及び導光板５２にそれぞれ係合し、筐体４１に保持されている。この様な保持部材４３は、例えば、アルミニウムから成り、半円盤状から形成されている。具体的には、導光板５１及び導光板５２が組み合わされた状態で、一対の保持部材４３の中央にそれぞれ開口された連結用切欠４３ａが、導光板５２の下部の両端に設けられた凹状の連結用切欠５２ｊに挿入され、且つ当接面４３ｃが導光板５２に当接されて着脱可能に係合されている。同様に、一対の保持部材４３の両端にそれぞれ形成された突起４３ｂが、導光板５１の下部の両端に設けられた凹状の連結用切欠５１ｊに挿入され、且つ当接面４３ｃが導光板５１に当接されて着脱可能に係合されている。
【００１９】
ここで、筐体部４０に関し、一対の保持部材４３が導光板５１及び導光板５２に係合されている状態で、一対の保持部材４３の外周面４３ｄが、筐体４１の基板収納凹部４１ｃに形成された内周面４１ｆに当接するように、一対の保持部材４３を筐体４１に挿入されている。さらに、例えばナベネジから成る固定部材４４を、一対の保持部材４３にそれぞれ開口されたネジ孔４３ｅ、及び基板３２に開口されたネジ孔３２ｃの順で通されている。その上で、固定部材４４を、筐体４１の基板収納凹部４１ｃに設けられたネジ孔４１ｄにネジ留めすることにより、導光板５１と導光板５２及び基板３２を、一対の保持部材４３を介し、筐体４１に対して着脱可能に保持されている。なお、固定部材４４が挿入された一対の保持部材４３のネジ孔４３ｅを、例えば反射剤が含有された接着剤で密封しても良い。
【００２０】
第１の実施形態の照明装置１を構成する導光部５０は、筐体部４０の一端から突出して設けられ、入射面から入射させた光源部３０の光を、曲面又は平面で形成された出射面から導出させる。また、導光部５０の出射面の少なくとも１面以上は、入射面の法線方向に対して所定の角度で傾斜している。ここで、導光部５０に設けられる導光板５１及び導光板５２の構造について、図２を参照しながら具体的に説明する。導光部５０は、例えば導光板５１及び導光板５２を十字状に組み合わせて構成されている。この様な導光板５１及び導光板５２は、それぞれ例えば透明なアクリル樹脂板から成る。なお、導光板５１及び導光板５２は、透明な樹脂板に限定されることは無く、着色された樹脂板を用いても良い。また、導光板５１及び導光板５２には、例えば可視域の光を照射されることにより拡散光を発する微粒子状の拡散部材を添加した樹脂板を用いても良い。同様に、導光板５１及び導光板５２には、例えば紫外域や可視域の光を照射されることにより蛍光を発する蛍光剤を塗布又は添加した樹脂板を用いても良い。なお、導光板５１及び導光板５２に、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００２１】
また、導光部５０に関し、導光板５１及び導光板５２は、それぞれ、対面同一になるように一対の略台形台形状から形成されている。具体的には、導光板５１は、光源部３０の光源３１と対向する位置に、光源３１の光を入射させる入射面５１ａが形成されている。また、入射面５１ａと交差した第１の出射面５１ｂ及び第１の出射面５１ｃが、対向して形成されている。同様に、第１の出射面５１ｄ及び第１の出射面５１ｇが、対向して形成されている。ここで、第１の出射面５１ｇと第１の出射面５１ｂの間には、第１の出射面５１ｉが鈍角を成すように隣接して形成されている。同様に、第１の出射面５１ｇと第１の出射面５１ｃの間には、第１の出射面５１ｈが鈍角を成すように隣接して形成されている。また、入射面５１ａと対向し、該入射面５１ａの法線方向に対して所定の角度で傾斜した第２の出射面５１ｅ及び該入射面５１ａと平行な第２の出射面５１ｆが隣接して形成されている。上記の導光板５１に係る略台形台形状が、対面同一になるように一対で形成されている。また、上記の導光板５１に係る対面同一になるように一対で形成された略台形台形状については、導光板５２についても同様である。
【００２２】
同様に、導光部５０に関し、導光板５１の第１の出射面５１ｇの下部には、凹状の連結用切欠５１ｊが形成されている。この様な連結用切欠５１ｊに、保持部材４３の両端にそれぞれ形成された突起４３ｂが挿入されている。同様に、導光板５２の第１の出射面５２ｇの下部には、凹状の連結用切欠５２ｊが形成されている。この様な連結用切欠５２ｊに、保持部材４３の中央にそれぞれ開口された連結用切欠４３ａが挿入されている。ここで、導光板５１の出射面側の中央に設けられた凹状の切欠面５１ｍと、導光板５２の入射面５２ａの中央に設けられた凹状の切欠面５２ｋが当接するように、導光板５１及び導光板５２が組み合わされている。なお、導光板５１の切欠面５１ｍと導光板５２の切欠面５２ｋを接合させた時に、導光板５１の入射面５１ａと導光板５２の入射面５２ａが同一面上に位置するように、導光板５１及び導光板５２が形成されている。また、導光板５１の入射面５１ａの両端及び中央に設けられた凸状の当接面５１ｎ、及び導光板５２の入射面５２ａの両端に設けられた凸状の当接面５２ｎは、それぞれ光源部３０の基板３２に当接される。
【００２３】
次に照明装置１に設けられた導光部５０に係る構成の詳細及び光学特性について、図３乃至図８を参照しながら、具体的に説明する。
【００２４】
なお、導光部５０に係る光学特性の説明においては、先ず導光部５０に設けられる各導光板の基本的な光学特性について図３に示す導光板１００を参照しながら説明する。次に導光部５０に設けられる略台形台形状に形成された導光板５１に係る構成及び光学特性について図４乃至図６を参照しながら説明する。
【００２５】
先ず、導光部５０に設けられる各導光板の基本的な光学特性について、図３に示す導光板１００を参照しながら、具体的に説明する。図３（ａ）に示すように、導光板１００の出射面１００ｚに対して、光Ｌ１が臨界角以下の入射角θ１で入射されると、光Ｌ１の透過光に相当する光Ｌ２が出射角θ２で出射される。ここで、導光板１００の屈折率ｎ１にｓｉｎ（入射角θ１）を掛けた値と、例えば空気の屈折率ｎ２にｓｉｎ（出射角θ２）を掛けた値は、等しい。また、図３（ｂ）に示すように、導光板１００の出射面１００ｚに対して、光Ｌ３が臨界角を超えた入射角θ３で入射されると、光Ｌ３の全反射光に相当する光Ｌ４が、反射角θ４で導光板１００の内部に反射される。ここで、入射角θ３と反射角θ４は、等しい。また、屈折率は、波長に依存し、短波長から長波長にかけて相対的に小さくなる。したがって、入射した光が全反射する最小の入射角である光の臨界角は、該光の波長及び入射角に依存する。
【００２６】
次に、導光部５０に設けられる略台形台形状に形成された導光板５１に係る構成について、図４乃至図６を参照しながら、具体的に説明する。図４に示す導光板５１は、略台形台形状から形成され、図２に示す導光板５１の片側に相当する。具体的には、導光板５１は、図４（ａ）に示すように、光源３１と対向する位置に、光源３１の光を入射させる入射面５１ａが形成されている。また、入射面５１ａと交差した第１の出射面５１ｐ及び第１の出射面５１ｓが、対向して形成されている。また、入射面５１ａと対向し、該入射面５１ａの法線方向に対して所定の角度で傾斜した第２の出射面５１ｑ、及び該入射面５１ａと平行な第２の出射面５１ｒが隣接して形成されている。さらに、導光板５１は、図４（ｂ）に示すように、入射面５１ａと交差した第１の出射面５１ｂ及び第１の出射面５１ｃが、対向して形成されている。また、第１の出射面５１ｂと第１の出射面５１ｓの間には、第１の出射面５１ｕが鈍角を成すように隣接して形成されている。同様に、第１の出射面５１ｃと第１の出射面５１ｓの間には、第１の出射面５１ｔが鈍角を成すように隣接して形成されている。
【００２７】
また、導光部５０に設けられる略台形台形状に形成された導光板５１に係る光学特性について、図５及び図６を参照しながら、具体的に説明する。なお、図５（ａ）乃至（ｄ）は、図４の各出射面における所定の光の出射箇所での光学特性を、それぞれ個別に示す模式図である。ここで、光源３１は、図５に示すように、例えば複数の発光体を隣接して設けた面光源から成り、導光部５０を構成する導光板５１の入射面５１ａの直下に設けられている。したがって、光源３１の光は、導光板５１の入射面５１ａの殆ど全面から、該導光板５１の内部に入射される。しかしながら、該光源３１の光に係る多数の光線を、図４や図５に示す導光板５１の外形線に重ねて図示すると、該導光板５１の光学特性を理解することが困難となる。そこで、図４及び図５では、任意の４箇所に係る光の出射箇所を基準として、光源３１の光に係る光線を、導光板５１の外形線に重ねて図示することに留めている。図５（ａ）に示す第２の出射面５１ｒの光の出射箇所５１ｖでは、入射面５１ａから法線方向に直進し第２の出射面５１ｒに対して垂直に入射した光Ｌ１０１が、光Ｌ１０１の透過光に相当する光Ｌ１０２として導光板５１から導出される。また、光の出射箇所５１ｖでは、第２の出射面５１ｒに対して臨界角以下で入射した光Ｌ１１２が、該光Ｌ１１２の透過光に相当する光Ｌ１１３として導光板５１から導出される。なお、光Ｌ１１２は、第１の出射面５１ｓにおける光Ｌ１１１の反射光に相当する。同様に、光の出射箇所５１ｖでは、第２の出射面５１ｒに対して臨界角以下で入射した光Ｌ１２１が、該光Ｌ１２１の透過光に相当する光Ｌ１２２として導光板５１から導出される。
【００２８】
同様に、導光部５０に設けられる導光板５１に係る光学特性に関し、図５（ｂ）に示す第２の出射面５１ｑの光の出射箇所５１ｗでは、入射面５１ａから法線方向に直進し第２の出射面５１ｑに対して臨界角以下で入射した光Ｌ１３１が、光Ｌ１３１の透過光に相当する光Ｌ１３２として導光板５１から導出される。また、光の出射箇所５１ｗでは、第２の出射面５１ｑに対して臨界角以下で入射した光Ｌ１４２が、該光Ｌ１４２の透過光に相当する光Ｌ１４３として導光板５１から導出される。なお、光Ｌ１４２は、第１の出射面５１ｓにおける光Ｌ１４１の反射光に相当する。同様に、光の出射箇所５１ｗでは、第２の出射面５１ｑに対して臨界角を超えて入射した光Ｌ１５１が、該光Ｌ１５１の反射光に相当する光Ｌ１５２として導光板５１の内部に反射される。また、該光Ｌ１５２は、第２の出射面５１ｒで、光Ｌ１５２の反射光に相当する光Ｌ１５３として導光板５１の内部に反射される。また、光Ｌ１５３は、該光Ｌ１５３の透過光に相当する光Ｌ１５４として、導光板５１の第１の出射面５１ｓから導出される。また、光Ｌ１６１は、第１の出射面５１ｐに対して臨界角以下の角度で入射されるため、光Ｌ１６１の透過光に相当する光Ｌ１６２として導光板５１から導出され、第２の出射面５１ｑの光の出射箇所５１ｗには伝搬されない。
【００２９】
また、導光部５０に設けられる導光板５１に係る光学特性に関し、図５（ｃ）に示す第２の出射面５１ｑの光の出射箇所５１ｘでは、第２の出射面５１ｑに対して臨界角以下で入射した光Ｌ１７１及び光Ｌ１８１が、それぞれ透過光に相当する光Ｌ１７２及び光Ｌ１８２として導光板５１から導出される。なお、光Ｌ１７１は、入射面５１ａから法線方向に直進した光である。同様に、光の出射箇所５１ｘでは、第２の出射面５１ｑに対して臨界角を超えて入射した光Ｌ１９２が、該光Ｌ１９２の反射光に相当する光Ｌ１９３として導光板５１の内部に反射される。なお、光Ｌ１９２は、第１の出射面５１ｐにおける光Ｌ１９１の反射光に相当する。また、光Ｌ１９３は、該光Ｌ１９３の透過光に相当する光Ｌ１９４として、導光板５１の第１の出射面５１ｓから導出される。また、光Ｌ２０１は、第１の出射面５１ｓに対して臨界角以下の角度で入射されるため、光Ｌ２０１の透過光に相当する光Ｌ２０２として導光板５１から導出され、第２の出射面５１ｑの光の出射箇所５１ｘには伝搬されない。
【００３０】
同様に、導光部５０に設けられる導光板５１に係る光学特性に関し、図５（ｄ）に示す第２の出射面５１ｑの光の出射箇所５１ｙでは、第２の出射面５１ｑに対して臨界角以下で入射した光Ｌ２１１、光Ｌ２３１、及び光Ｌ２４１が、それぞれ透過光に相当する光Ｌ２１２、光Ｌ２３２、及び光Ｌ２４２として導光板５１から導出される。なお、光Ｌ２１１は、入射面５１ａから法線方向に直進した光である。また、光の出射箇所５１ｙでは、第２の出射面５１ｑに対して臨界角を超えて入射した光Ｌ２２２が、該光Ｌ２２２の反射光に相当する光Ｌ２２３として導光板５１の内部に反射される。なお、光Ｌ２２２は、第１の出射面５１ｐにおける光Ｌ２２１の反射光に相当する。また、光Ｌ２２３は、該光Ｌ２２３の透過光に相当する光Ｌ２２４として、導光板５１の第１の出射面５１ｓから導出される。
【００３１】
さらに、導光部５０に設けられる導光板５１に係る光学特性に関し、図６に示すように、第１の出射面５１ｓ、第１の出射面５１ｃと第１の出射面５１ｓの間に形成された第１の出射面５１ｔ、及び第１の出射面５１ｂと第１の出射面５１ｓの間に形成された第１の出射面５１ｕに対して、臨界角以下で入射した光Ｌ２５１、光Ｌ２６１、及び光Ｌ２７１が、それぞれ透過光に相当する光Ｌ２５２、光Ｌ２６２、及び光Ｌ２７２として導光板５１から導出される。
【００３２】
したがって、導光部５０に設けられる導光板５１によれば、図４乃至図６に示すように、導光板５１の入射面５１ａから入射された光源３１の光を、該導光板５１の内部において多重反射により減衰させることなく、各出射面から所定の放射角度で導出させることができる。具体的には、導光板５１に、該導光板５１の入射面５１ａの法線方向に対して所定の角度で傾斜した平面から成る第２の出射面５１ｑを設けることにより、例えば、第２の出射面５１ｑの光の出射箇所５１ｗ、光の出射箇所５１ｘ、及び光の出射箇所５１ｙにおいて、様々な放射角で光源３１の光を導出させることができる。さらに、導光板５１に、例えば、第１の出射面５１ｃと第１の出射面５１ｓの間に鈍角を成すように形成された第１の出射面５１ｔ、及び第１の出射面５１ｂと第１の出射面５１ｓの間に鈍角を成すように形成された第１の出射面５１ｕを設けることにより、導光板５１の内部から各第１の出射面に入射する光の角度が臨界角となり易く、導光板５１から導出され易くなる。
【００３３】
さらに、照明装置１に設けられた導光部５０の変形例に係る構成及び光学特性について、図７乃至図１２を参照しながら、具体的に説明する。
【００３４】
なお、先ず導光部５０に設けられる曲面を含む多面体形状に形成された導光板５３に係る構成及び光学特性について図７乃至図１０を参照しながら説明する。さらに導光部５０に設けられる中心から外側に向かって入射面との成す角度が段階的に大きくなるように複数の平面を連ねて多面体形状に形成された導光板５４に係る構成及び光学特性について図１１を参照しながら説明する。最後に導光部５０に設けられる一方から他方に向かって入射面との成す角度が段階的に大きくなるように複数の平面を連ねて多面体形状に形成された導光板５５に係る構成及び光学特性について図１２を参照しながら説明する。
【００３５】
導光部５０の変形例に関し、曲面を含む多面体形状に形成された導光板５３に係る構成について、図７を参照しながら、具体的に説明する。図７に示す導光板５３は、曲面を含む多面体形状から形成され、例えば図２に示す導光板５１の片側に相当する導光板である。具体的には、導光板５３は、図７に示すように、光源３１と対向する位置に、光源３１の光を入射させる入射面５３ａが形成されている。また、入射面５３ａと交差した第１の出射面５３ｐ及び第１の出射面５３ｓが、対向して形成されている。また、入射面５３ａと対向し、該入射面５３ａの法線方向に対して所定の角度で傾斜した第２の出射面５３ｑ、及び曲面から成る第２の出射面５３ｒが、隣接して形成されている。なお、図６に示す導光板５１の構成を、図７に示す導光板５３に適用しても良い。
【００３６】
また、導光部５０の変形例に関し、導光板５３に係る光学特性について、図８の各図を参照しながら、具体的に説明する。なお、図８（ａ）乃至（ｄ）は、図７の各出射面における所定の光の出射箇所での光学特性を、それぞれ個別に示す模式図である。ここで、導光板５１と同様に、光源３１の光に係る多数の光線を、図７及び図８に示す導光板５３の外形線に重ねて図示すると、該導光板５３の光学特性を理解することが困難となる。そこで、図７及び図８では、任意の４箇所に係る光の出射箇所を基準として、光源３１の光に係る光線を、導光板５３の外形線に重ねて図示することに留めている。図８（ａ）に示す第２の出射面５３ｒの光の出射箇所５３ｖでは、第２の出射面５３ｒに対して臨界角以下で入射した光Ｌ３２１及び光Ｌ３３１が、それぞれ透過光に相当する光Ｌ３２２及び光Ｌ３３２として導光板５３から導出される。また、光の出射箇所５３ｖでは、入射面５３ａから法線方向に直進し第２の出射面５３ｒに対して臨界角を超えて入射した光Ｌ３１１が、該光Ｌ３１１の反射光に相当する光Ｌ３１２として導光板５３の内部に反射される。また、光Ｌ３１２は、さらに、第２の出射面５３ｒに対して臨界角を超えて入射され、該光Ｌ３１２の反射光に相当する光Ｌ３１３として導光板５３の内部に反射される。また、光Ｌ３１３は、該光Ｌ３１３の透過光に相当する光Ｌ３１４として、導光板５３の第２の出射面５３ｑから導出される。
【００３７】
同様に、導光部５０の変形例に関し、導光板５３に係る光学特性について、図８（ｂ）に示す第２の出射面５３ｒの光の出射箇所５３ｗでは、第２の出射面５３ｒに対して臨界角以下で入射した光Ｌ３４１、光Ｌ３５２、光Ｌ３６１、及び光Ｌ３７２が、それぞれ透過光に相当する光Ｌ３４２、光Ｌ３５３、光Ｌ３６２、及び光Ｌ３７３として導光板５３から導出される。なお、光Ｌ３４１は、入射面５３ａから法線方向に直進した光である。また、光Ｌ３５２は、第２の出射面５３ｑにおける光Ｌ３５１の反射光に相当する。同様に、光Ｌ３７２は、第１の出射面５３ｐにおける光Ｌ３７１の反射光に相当する。また、光の出射箇所５３ｗでは、第２の出射面５３ｒに対して臨界角を超えて入射した光Ｌ３８２が、該光Ｌ３８２の反射光に相当する光Ｌ３８３として導光板５３の内部に反射される。なお、光Ｌ３８２は、第１の出射面５３ｒにおける光Ｌ３８１の反射光に相当する。また、光Ｌ３８３は、該光Ｌ３８３の透過光に相当する光Ｌ３８４として、導光板５３の第２の出射面５３ｑから導出される。
【００３８】
同様に、導光部５０の変形例に関し、導光板５３に係る光学特性について、図８（ｃ）に示す第２の出射面５３ｑの光の出射箇所５３ｘでは、第２の出射面５３ｑに対して臨界角以下で入射した光Ｌ４０１が、透過光に相当する光Ｌ４０２として導光板５３から導出される。また、光の出射箇所５３ｘでは、入射面５３ａから法線方向に直進し第２の出射面５３ｑに対して臨界角を超えて入射した光Ｌ３９１が、該光Ｌ３９１の反射光に相当する光Ｌ３９２として導光板５３の内部に反射される。また、光Ｌ３９２は、該光Ｌ３９２の透過光に相当する光Ｌ３９３として、導光板５３の第２の出射面５３ｒから導出される。また、光Ｌ４１１は、第１の出射面５３ｓに対して臨界角以下の角度で入射されるため、光Ｌ４１１の透過光に相当する光Ｌ４１２として導光板５３から導出され、第２の出射面５３ｑの光の出射箇所５３ｘには伝搬されない。
【００３９】
同様に、導光部５０の変形例に関し、導光板５３に係る光学特性について、図８（ｄ）に示す第２の出射面５３ｑの光の出射箇所５３ｙでは、第２の出射面５３ｑに対して臨界角以下で入射した光Ｌ４３１及び光Ｌ４４１が、それぞれ透過光に相当する光Ｌ４３２及び光Ｌ４４２として導光板５３から導出される。また、光の出射箇所５３ｙでは、入射面５３ａから法線方向に直進し第２の出射面５３ｑに対して臨界角を超えて入射した光Ｌ４２１が、該光Ｌ４２１の反射光に相当する光Ｌ４２２として導光板５３の内部に反射される。また、光Ｌ４２２は、該光Ｌ４２２の透過光に相当する光Ｌ４２３として、導光板５３の第２の出射面５３ｒから導出される。
【００４０】
したがって、導光部５０の変形例に関し、導光板５３によれば、図７及び図８に示すように、導光板５３の入射面５３ａから入射された光源３１の光を、該導光板５３の内部において多重反射により減衰させることなく、各出射面から所定の放射角度で導出させることができる。具体的には、導光板５３に、該導光板５３の入射面５３ａの法線方向に対して所定の角度で傾斜した平面から成る第２の出射面５３ｑ、及び曲面から成る第２の出射面５３ｒを隣接して設けることにより、例えば、光の出射箇所５３ｖ乃至光の出射箇所５３ｙにおいて、様々な放射角で光源３１の光を導出させることができる。さらに、例えば、曲面から成る第２の出射面５３ｒの光の出射箇所５３ｖ及び光の出射箇所５３ｗで反射した光源３１の光を、第２の出射面５３ｒに隣接した平面から成る第２の出射面５３ｑから様々な放射角で導出させることができる。さらに、例えば、平面から成る第２の出射面５３ｑの光の出射箇所５３ｘ及び光の出射箇所５３ｙで反射した光源３１の光を、第２の出射面５３ｑに隣接した曲面から成る第２の出射面５３ｒから様々な放射角で導出させることができる。
【００４１】
さらに、照明装置１から導出される光の配光分布を、筐体部４０の径方向の外側に対して円弧状に拡大させる構成について、図９及び図１０を参照しながら、詳細に説明する。図９に示す導光板５７は、図７に示す導光板５３を十字状に組み合わせた構成の応用例、又は導光板５３を十字状に一体成型した構成の応用例に相当する。この様な導光板５７は、入射面５７ａと隣接し直交した第１の出射面５７ｓ及び５７ｐを備えている。ここで、第１の出射面５７ｓは筐体部４０の径方向の外側に配設され、第１の出射面５７ｐは第１の出射面５７ｓと対向するように筐体部４０の中央側に配設される。また、導光板５７は、入射面５７ａに対向した第２の出射面５７ｒ及び５７ｑを備えている。ここで、第２の出射面５７ｒは、曲面から形成され筐体部４０の径方向の外側に設けられている。また、第２の出射面５７ｑは、入射面５７ａの法線方向に対して所定の角度で傾斜した平面から形成され筐体部４０の中央側に設けられている。また、第２の出射面５７ｒと第２の出射面５７ｑとが接した位置５７ｚが、光源部３０の光源３１から直交する方向に向かって最も離間している。
【００４２】
また、導光板５７の材質をアクリル樹脂とした場合、代表的な可視光線における光の臨界角は約４２°である。そこで、第２の出射面５７ｑは、その様な光の臨界角を超えた角度になるように第１の出射面５７ｐと隣接して設けられ、導光板５７の第２の出射面５７ｑに入射した光が第２の出射面５７ｒの方向に反射されるようにしている。さらに、導光板５７において、第２の出射面５７ｑと第１の出射面５７ｐとが接した位置５７ｙが、第２の出射面５７ｒと第１の出射面５７ｓとが接した位置５７ｘと比べて入射面５７ａから近いため、該入射面５７ａから入射された光が第２の出射面５７ｑで反射された後に第２の出射面５７ｒの方向に伝播され易い。なお、図９及び図１０に示す導光板５７では、連結用切欠等を省略している。また、光源部３０の基板３２には、十字状に計１３個の光源３１が配設されている。ここで、図９及び図１０に示すように、７個の光源３１ａ乃至３１ｇが、十字状に形成された導光板５７の入射面５７ａに対向するように、所定の距離だけ離間して一列に設けられている。
【００４３】
図１０に、導光板５７の光学特性に関する模式図を示している。但し、各光源３１から様々な角度で出射される複数の光を全て図示した場合、該光が密集して判別が不可能になるため、代表的な光のみ図示している。また、図１０において図示している光Ｌ８０１乃至Ｌ８１２は、各光源３１を出射した光の中、入射面５７ａを透過した後に少なくとも第２の出射面５７ｑで反射され且つ第１の出射面５７ｓを透過して外部に導出されたものである。具体的には、図１０に示す導光板５７の左半分の領域に示す光Ｌ８０１乃至光Ｌ８０６は、入射面５７ａを透過し第２の出射面５７ｑで反射され第１の出射面５７ｓを透過して外部に導出された光である。また、図１０に示す導光板５７の右半分の領域に示す光Ｌ８０７は、入射面５７ａを透過し第１の出射面５７ｑで反射された後に第２の出射面５７ｑで反射され第１の出射面５７ｓを透過して外部に導出された光である。同様に、図１０に示す導光板５７の右半分の領域に示す光Ｌ８０８乃至光Ｌ８１２は、入射面５７ａを透過し第１の出射面５７ｓで反射された後に第２の出射面５７ｑで反射され第１の出射面５７ｓを透過して外部に導出された光である。なお、図１０中の左半分と右半分の領域で、導光板５７を伝播する光を仕分けて表示することにより、光同士が重複して認識し難くなることを避けている。
【００４４】
したがって、導光板５７は、図１０中の左半分の領域に示すように、入射面５７ａを透過した光源の光が、筐体部４０の中央側に配設された第２の出射面５７ｑで反射され、筐体部４０の径方向の外側に配設された第２の出射面５７ｒを透過して導出され易い。同様に、導光板５７は、図１０中の右半分の領域に示すように、第１の出射面５７ｓ又は第１の出射面５７ｐで反射された光が、筐体部４０の中央側に配設された第２の出射面５７ｑで反射された後に、筐体部４０の径方向の外側に配設された第２の出射面５７ｒを透過して導出され易い。ここで、曲面から形成された第２の出射面５７ｒを出射される光は、レンズ効果により略円弧状になる。上述した通り、導光板５７を用いることにより、照明装置１から導出される光の配光分布を、筐体部４０の径方向の外側に対して円弧状に拡大させることにより、従来の一般的なランプ光源の配光特性に近づけることができる。
【００４５】
次に、導光部５０の変形例に関し、中心から外側に向かって入射面との成す角度が段階的に大きくなるように複数の平面を連ねて多面体形状に形成された導光板５４に係る構成について、図１１を参照しながら、具体的に説明する。ここで、導光板５１及び導光板５３と同様に、光源３１の光に係る多数の光線を、図１１に示す導光板５４の外形線に重ねて図示すると、該導光板５４の光学特性を理解することが困難となる。そこで、図１１では、任意の４箇所に係る光の出射箇所を基準として、光源３１の光に係る光線を、導光板５４の外形線に重ねて図示することに留めている。図１１に示す導光板５４は、中心から外側に向かって入射面との成す角度が段階的に大きくなるように複数の平面を連ねて多面体形状に形成され、例えば図２に示す導光板５１の片側に相当する導光板である。具体的には、導光板５４は、図１１に示すように、光源３１と対向する位置に、光源３１の光を入射させる入射面５４ａが形成されている。また、入射面５４ａと交差した第１の出射面５４ｐが、図１１の左右に対向して形成されている。また、入射面５４ａと対向し、該入射面５４ａの法線方向に対して、例えば、１０°傾斜した第２の出射面５４ｑ、１５°傾斜した第２の出射面５４ｒ、２０°傾斜した第２の出射面５４ｓ、及び２５°傾斜した第２の出射面５４ｔが、順に連ねられ対向して形成されている。さらに、入射面５４ａと対向し、該入射面５４ａと平行した第２の出射面５４ｕが、第２の出射面５４ｔに隣接して形成されている。なお、図６に示す導光板５１の構成を、図１１に示す導光板５４に適用しても良い。
【００４６】
また、導光部５０の変形例に関し、導光板５４に係る光学特性について、図１１に示す第２の出射面５４ｑの光の出射箇所５４ｖでは、図１１の左側に示す第２の出射面５４ｑに対して臨界角以下で入射した光Ｌ５２１が、該光Ｌ５２１の透過光に相当する光Ｌ５２２として導光板５４から導出される。また、光の出射箇所５４ｖでは、第２の出射面５４ｑに対して臨界角を超えて入射した光Ｌ５１１が、該光Ｌ５１１の反射光に相当する光Ｌ５１２として導光板５４の内部に反射される。さらに、光Ｌ５１２は、該光Ｌ５１２の透過光に相当する光Ｌ５１３として、導光板５４の第２の出射面５４ｕから導出される。同様に、図１１の左側に示す第２の出射面５４ｒの光の出射箇所５４ｗ、第２の出射面５４ｓの光の出射箇所５４ｘ、及び第２の出射面５４ｔの光の出射箇所５４ｙに対してそれぞれ臨界角以下で入射した光Ｌ５４１、光Ｌ５６１、及び光Ｌ５８２が、それぞれ透過光に相当する光Ｌ５４２、光Ｌ５６２、及び光Ｌ５８３として導光板５４から導出される。なお、光Ｌ５８２は、図１１の右側に示す第１の出射面５４ｐにおける光Ｌ５８１の反射光に相当する。
【００４７】
同様に、導光部５０の変形例に関し、導光板５４に係る光学特性について、図１１の左側に示す第２の出射面５４ｑの光の出射箇所５４ｖ、第２の出射面５４ｒの光の出射箇所５４ｗ、第２の出射面５４ｓの光の出射箇所５４ｘ、及び第２の出射面５４ｔの光の出射箇所５４ｙに対してそれぞれ臨界角を超えて入射した光Ｌ５１１、光Ｌ５３１、光Ｌ５５１、及び光Ｌ５７１が、それぞれ反射光に相当する光Ｌ５１２、光Ｌ５３２、光Ｌ５５２、及び光Ｌ５７２として導光板５４の内部に反射される。なお、光Ｌ５１１、光Ｌ５３１、光Ｌ５５１、及び光Ｌ５７１は、入射面５４ａから法線方向に直進した光である。また、光Ｌ５１２は、該光Ｌ５１２の透過光に相当する光Ｌ５１３として、導光板５４の第２の出射面５４ｕから導出される。さらに、光Ｌ５３２、光Ｌ５５２、及び光Ｌ５７２は、該光Ｌ５３２、光Ｌ５５２、及び光Ｌ５７２の透過光に相当する光Ｌ５３３、光Ｌ５５３、及び光Ｌ５７３として、図１１の右側に示す導光板５４の第２の出射面５４ｔから導出される。
【００４８】
したがって、導光部５０の変形例に関し、導光板５４によれば、図１１に示すように、導光板５４の入射面５４ａから入射された光源３１の光を、該導光板５４の内部において多重反射により減衰させることなく、各出射面から所定の放射角度で導出させることができる。具体的には、導光板５４に、中心から外側に向かって入射面の法線方向との成す角度が段階的に大きくなるように、第２の出射面５４ｑ乃至第２の出射面５４ｔが順に連ねられ対向して形成されていることにより、光源３１の光が所定の配光分布になるように屈折され、各第２の出射面から所定の放射角で導出させることができる。さらに、例えば、導光板５４の図１１の左側に形成された第２の出射面５４ｑ乃至第２の出射面５４ｔで反射された光源３１の光を、導光板５４の図１１の右側に形成された第２の出射面５４ｔ等から、導光板５４の前方に向けて様々な放射角で導出させることができる。
【００４９】
次に、導光部５０の変形例に関し、一方から他方に向かって入射面との成す角度が段階的に大きくなるように複数の平面を連ねて多面体形状に形成された導光板５５に係る構成について、図１２の各図を参照しながら、具体的に説明する。ここで、導光板５１乃至導光板５４と同様に、光源３１の光に係る多数の光線を、図１２に示す導光板５５の外形線に重ねて図示すると、該導光板５５の光学特性を理解することが困難となる。そこで、図１２では、任意の４箇所に係る光の出射箇所を基準として、光源３１の光に係る光線を、導光板５５の外形線に重ねて図示することに留めている。図１２（ａ）に示す導光板５５は、一方から他方に向かって入射面との成す角度が段階的に大きくなるように複数の平面を連ねて多面体形状に形成され、例えば図２に示す導光板５１の片側に相当する導光板である。具体的には、導光板５５は、図１２（ａ）に示すように、光源３１と対向する位置に、光源３１の光を入射させる入射面５５ａが形成されている。また、入射面５５ａと交差した第１の出射面５５ｐ及び第１の出射面５５ｕが、対向して形成されている。また、入射面５５ａと対向し、該入射面５５ａの法線方向に対して、例えば、１０°傾斜した第２の出射面５５ｑ、２０°傾斜した第２の出射面５５ｒ、及び３０°傾斜した第２の出射面５５ｓが、順に連ねられ対向して形成されている。さらに、入射面５５ａと対向し、該入射面５５ａと平行した第２の出射面５５ｔが、第２の出射面５５ｓ及び第１の出射面５５ｕに隣接して形成されている。
【００５０】
また、導光部５０の変形例に関し、導光板５５に係る構成について、導光板５５は、図１２（ｂ）に示すように、入射面５５ａと交差した第１の出射面５５ｂ及び第１の出射面５５ｃが、対向して形成されている。また、第１の出射面５５ｂと第１の出射面５５ｕの間には、第１の出射面５５ｍが鈍角を成すように隣接して形成されている。同様に、第１の出射面５５ｃと第１の出射面５５ｕの間には、第１の出射面５５ｎが鈍角を成すように隣接して形成されている。
【００５１】
また、導光部５０の変形例に関し、導光板５５に係る光学特性について、図１２の各図を参照しながら、具体的に説明する。図１２（ａ）に示す第２の出射面５５ｑの光の出射箇所５５ｖ、第２の出射面５５ｒの光の出射箇所５５ｗ、及び第２の出射面５５ｓの光の出射箇所５５ｘに対してそれぞれ臨界角以下で入射した光Ｌ６２１、光Ｌ６４２、及び光Ｌ６６３が、それぞれ透過光に相当する光Ｌ６２２、光Ｌ６４３、及び光Ｌ６６４として導光板５５から導出される。なお、光Ｌ６４２は、第１の出射面５５ｕにおける光Ｌ６４１の反射光に相当する。同様に、光Ｌ６６３は、第１の出射面５５ｕにおける光Ｌ６６２の反射光に相当し、該光Ｌ６６２は、第１の出射面５５ｐにおける光Ｌ６６１の反射光に相当する。また、第２の出射面５５ｑの光の出射箇所５５ｖに対して臨界角を超えて入射した光Ｌ６１１が、該光Ｌ６１１の反射光に相当する光Ｌ６１２として導光板５５の内部に反射される。なお、光Ｌ６１１は、入射面５５ａから法線方向に直進した光である。さらに、第２の出射面５４ｓに対して臨界角を超えて入射した光Ｌ６１２が、該光Ｌ６１２の反射光に相当する光Ｌ６１３として導光板５５の内部に反射される。さらに、光Ｌ６１３は、該光Ｌ６１３の透過光に相当する光Ｌ６１４として、導光板５５の第２の出射面５５ｔから導出される。
【００５２】
同様に、導光部５０の変形例に関し、導光板５５に係る光学特性について、第２の出射面５５ｒの光の出射箇所５５ｗ及び第２の出射面５５ｓの光の出射箇所５５ｘに対して臨界角を超えて入射した光Ｌ６３１及び光Ｌ６５１が、該光Ｌ６３１及び光Ｌ６５１の反射光に相当する光Ｌ６３２及び光Ｌ６５２として導光板５５の内部に反射される。なお、光Ｌ６３１及び光Ｌ６５１は、入射面５５ａから法線方向に直進した光である。さらに、光Ｌ６３２及び光Ｌ６５２は、該光Ｌ６３２及び光Ｌ６５２の透過光に相当する光Ｌ６３３及び光Ｌ６５３として、導光板５５の第２の出射面５５ｕから導出される。さらに、図１２（ｂ）に示すように、第１の出射面５５ｕ、第１の出射面５５ｃと第１の出射面５５ｕの間に形成された第１の出射面５５ｍ、及び第１の出射面５５ｂと第１の出射面５５ｕの間に形成された第１の出射面５５ｎに対して、臨界角以下で入射した光Ｌ６７１、光Ｌ６８１、及び光Ｌ６９１が、それぞれ透過光に相当する光Ｌ６７２、光Ｌ６８２、及び光Ｌ６９２として導光板５５から導出される。
【００５３】
したがって、導光部５０の変形例に関し、導光板５５によれば、図１２に示すように、導光板５５の入射面５５ａから入射された光源３１の光を、該導光板５５の内部において多重反射により減衰させることなく、各出射面から所定の放射角度で導出させることができる。具体的には、導光板５５に、一方から他方に向かって入射面の法線方向との成す角度が段階的に大きくなるように、第２の出射面５５ｑ乃至第２の出射面５５ｓが順に連ねられ対向して形成されていることにより、光源３１の光が所定の配光分布になるように屈折され、各第２の出射面から所定の放射角で導出させることができる。さらに、例えば、導光板５５の第２の出射面５５ｑ乃至第２の出射面５５ｓで反射された光源３１の光を、導光板５５の第２の出射面５５ｕ等から、導光板５５の前方に向けて様々な放射角で導出させることができる。さらに、導光板５５に、例えば、第１の出射面５５ｂと第１の出射面５５ｕの間に鈍角を成すように形成された第１の出射面５５ｃ、及び第１の出射面５５ｃと第１の出射面５５ｕの間に鈍角を成すように形成された第１の出射面５５ｎを設けることにより、導光板５５の内部から各第１の出射面に入射する光の角度が臨界角以下となり易く、導光板５５から導出され易くなる。
【００５４】
以上、第１の実施形態に係る照明装置１によれば、例えば図５に示す導光板５１の入射面５１ａから入射された光源３１の光を、該導光板５１の内部において多重反射により減衰させることなく、各出射面から所定の放射角度で導出させることができる。具体的には、導光板５１に、該導光板５１の入射面５１ａの法線方向に対して所定の角度で傾斜した平面から成る第２の出射面５１ｑを設けることにより、例えば、第２の出射面５１ｑの光の出射箇所５１ｗ、光の出射箇所５１ｘ、及び光の出射箇所５１ｙにおいて、様々な放射角で光源３１の光を導出させることができる。さらに、導光板５１に、例えば、第１の出射面５１ｃと第１の出射面５１ｓの間に鈍角を成すように形成された第１の出射面５１ｔ、及び第１の出射面５１ｂと第１の出射面５１ｓの間に鈍角を成すように形成された第１の出射面５１ｕを設けることにより、導光板５１の内部から各第１の出射面に入射する光の角度が臨界角になり易くなり、導光板５１から導出され易くなる。
【００５５】
また、第１の実施形態に係る照明装置１によれば、例えば図８に示す導光板５３のように、該導光板５３の入射面５３ａの法線方向に対して所定の角度で傾斜した平面から成る第２の出射面５３ｑ、及び曲面から成る第２の出射面５３ｒを設けることにより、例えば、光の出射箇所５３ｖ乃至光の出射箇所５３ｙにおいて、様々な放射角で光源３１の光を導出させることができる。さらに、例えば、曲面から成る第２の出射面５３ｒの光の出射箇所５３ｖ及び光の出射箇所５３ｗで反射した光源３１の光を、第２の出射面５３ｒに隣接した平面から成る第２の出射面５３ｑから様々な放射角で導出させることができる。さらに、例えば、平面から成る第２の出射面５３ｑの光の出射箇所５３ｘ及び光の出射箇所５３ｙで反射した光源３１の光を、第２の出射面５３ｒに隣接した曲面から成る第２の出射面５３ｒから様々な放射角で導出させることができる。
【００５６】
同様に、第１の実施形態に係る照明装置１によれば、例えば図１１に示す導光板５４のように、中心から外側に向かって入射面の法線方向との成す角度が段階的に大きくなるように、第２の出射面５４ｑ乃至第２の出射面５４ｔが順に連ねられ対向して形成されていることにより、光源３１の光が所定の配光分布になるように屈折され、各第２の出射面から所定の放射角で導出させることができる。さらに、例えば、導光板５４の図１１の左側に形成された第２の出射面５４ｑ乃至第２の出射面５４ｔで反射された光源３１の光を、導光板５４の図１１の右側に形成された第２の出射面５４ｔ等から、導光板５４の前方に向けて様々な放射角で導出させることができる。    
【００５７】
同様に、第１の実施形態に係る照明装置１によれば、例えば図１２に示す導光板５５のように、一方から他方に向かって入射面の法線方向との成す角度が段階的に大きくなるように、第２の出射面５５ｑ乃至第２の出射面５５ｓが順に連ねられ対向して形成されていることにより、光源３１の光が所定の配光分布になるように屈折され、各第２の出射面から所定の放射角で導出させることができる。さらに、例えば、導光板５５の第２の出射面５５ｑ乃至第２の出射面５５ｓで反射された光源３１の光を、導光板５５の第２の出射面５５ｕ等から、導光板５５の前方に向けて様々な放射角で導出させることができる。さらに、導光板５５に、例えば、第１の出射面５５ｂと第１の出射面５５ｕの間に鈍角を成すように形成された第１の出射面５５ｃ、及び第１の出射面５５ｃと第１の出射面５５ｕの間に鈍角を成すように形成された第１の出射面５５ｎを設けることにより、導光板５５の内部から各第１の出射面に入射する光の角度が臨界角以下になり易くなり、導光板５５から導出され易くなる。
【００５８】
また、第１の実施形態に係る照明装置１によれば、導光部５０に設ける導光板については、例えば、図５に示す導光板５１、図８に示す導光板５３、図１１に示す導光板５４、又は図１２に示す導光板５５の形状を、任意に組み合わせて形成しても良い。この様に、導光部５０を、異なる形状の導光板を複数組み合わせて形成することで、視認する方向より異なる光学特性を有する照明装置１を構成することができる。
【００５９】
［第２の実施形態］
以下、本発明の第２の実施形態の照明装置２について、図１３乃至図１８を参照しながら、具体的に説明する。
【００６０】
なお、本発明の第２の実施形態の照明装置２は、該照明装置２を構成する導光部６０の導光板に、凹状又は凸状のパターンがそれぞれ形成されていることに特徴を有している。また、それ以外の第２の実施形態に係る構成は、第１の実施形態で述べた構成と同様である。具体的には、第２の実施形態の照明装置２は、図１４に示すように、第１の実施形態の照明装置１と同様の仕様から成る受電部１０、電源部２０、光源部３０、及び筐体部４０と、第２の実施形態の照明装置２に特有の導光部６０から構成されている。そこで、第２の実施形態においては、第１の実施形態とは異なる構成である導光部６０について中心に説明する。
【００６１】
第２の実施形態の照明装置２を構成する導光部６０の各導光板には、該導光板の出射面の１面以上に、光源部３０の光を拡散光として導出させる凹状又は凸状のパターンが形成されている。ここで、先ず導光部６０に設けられる各導光板に形成された凹状又は凸状のパターンの仕様について図１３乃至図１５を参照しながら説明する。次に導光部６０の変形例に係る各導光板に形成された凹状又は凸状のパターンの仕様について図１６を参照しながら説明する。さらに導光部６０の変形例に係る各導光板に形成された特殊な凹状又は凸状のパターンに係る光学特性について図１７及び図１８を参照しながら説明する。
【００６２】
先ず、導光部６０に設けられる各導光板に形成された凹状又は凸状のパターンの仕様について、図１３乃至図１５を参照しながら具体的に説明する。導光部６０の導光板６１に設けられた第１の出射面６１ｂ及び第１の出射面６１ｃには、例えば図１３及び図１４に示すように、照射された光を拡散光として導出させる凹状のパターン６１ｐが形成されている。この様なパターン６１ｐは、例えば１ｍｍから６ｍｍの間隔でマトリクス状に形成されている。ここで、導光板６１の第１の出射面６１ｂに形成された複数のパターン６１ｐで発生した複数の拡散光の大部分は、略均一な面発光の光として導光板６１の対向する第１の出射面６１ｃから導出される。同様に、導光板６１の第１の出射面６１ｃに形成された複数のパターン６１ｐで発生した複数の拡散光の大部分は、略均一な面発光の光として導光板６１の対向する第１の出射面６１ｂから導出される。また、導光部６０の導光板６２に形成された凹状のパターン６２ｐの仕様は、上述した導光板６１に形成されたパターン６１ｐの仕様と同様である。
【００６３】
また、導光部６０に設けられる各導光板に形成された凹状又は凸状のパターンの仕様に関し、導光板６１及び導光板６２の各出射面に形成する凹状又は凸状のパターンを、例えば点状、線状、又はそれらの組み合わせから構成しても良い。また、例えば、図４に示す導光板５１、図７に示す導光板５３、図１１に示す導光板５４、及び図１２に示す導光板５５に、凹状又は凸状のパターンを形成しても良い。なお、図１４に示す導光部６０に設けられる導光板６１の外形形状は、図２に示す導光部５０に設けられる導光板５１の外形形状と同一である。したがって、導光部６０に設けられる導光板６１は、図５及び図６を参照しながら説明した導光部５０に設けられる導光板５１と同様の光学特性を有し、導光板６１の入射面６１ａから入射された光源３１の光を、該導光板６１の内部において多重反射により減衰させることなく、各出射面から所定の放射角度で導出させることができる。
【００６４】
また、導光部６０に設けられる各導光板に形成された凹状又は凸状のパターンの仕様に関し、図１５では、発明の理解を容易にするために、各導光板の第１の出射面に形成された凹状のパターンの大きさを誇張して図示している。ここで、図１５に示す導光板６１のように、導光板６１の第１の出射面６１ｂに形成されたパターン６１ｐに、導光板６１の入射面６１ａから入射された光源３１の光が照射されると、拡散光が発生する。該拡散光の大部分は、該第１の出射面６１ｂに対向して設けられた第１の出射面６１ｃから導出される。ここで、もし導光板６１にパターン６１ｐを設けなければ、導光板６１の入射面６１ａに交差した各第１の出射面は、導光板６１の入射面６１ａに対向した各第２の出射面と比較して、導光板６１の内部から直接導出される光源３１の光の光量が相当少ない。しかしながら、導光板６１の入射面６１ａに交差した任意の第１の出射面に例えば凹状のパターンを設けることにより、その任意の第１の出射面に対向した第１の出射面から拡散光を導出させることができる。したがって、導光板６１の各第１の出射面及び各第２の出射面からそれぞれ導出される光の光量の差が抑制されることから、導光板６１に複数設けられた各出射面から導出される光の光量を平均化することができる。また、導光板６１のパターン６１ｐを、導光板６１の第１の出射面６１ｂと第１の出射面６１ｃに対して対面非同一に形成すると、対面同一に形成した場合と比較して、導光板６１の第１の出射面６１ｂ又は第１の出射面６１ｃから視認可能な、パターン６１ｐの総数が増加するため、導光板６１から導出される拡散光の明暗の差が小さくなる。
【００６５】
次に、導光部６０の変形例に係る各導光板に形成された凹状又は凸状のパターンの仕様について、図１６を参照しながら、具体的に説明する。図１６（ａ）に示す導光板６２のように、導光板６２の第１の出射面６２ｂに形成されたパターン６２ｐに、導光板６２の入射面６２ａから入射された光源３１の光が照射されると、拡散光が発生する。該拡散光の大部分は、該第１の出射面６２ｂに対向して設けられた第１の出射面６１ｃから導出される。すなわち、パターン６２ｐは、第１の出射面のいずれか一面に設ける構成としても良い。また、導光部６０に設けられる各導光板に形成された凹状又は凸状のパターンに係る光学特性に関し、図１６（ｂ）に示す導光板６４のように、パターン６４ｐの深さを、導光板６４の第１の出射面６４ｂと第１の出射面６４ｃに対して導光板６４の入射面６４ａから遠ざかる毎に、相対的に深くする構成としても良い。このようにパターン６４ｐの深さを深くすると、該パターン６４ｐの表面積が増加することから、相対的に大きな拡散光が発生する。一方、光源３１の光の強度は、導光板６４の入射面６４ａから遠ざかる毎に減衰して、相対的に低下する。したがって、上記の様な構成にすることにより、導光板６４の第１の出射面６４ｂと第１の出射面６４ｃから導出される拡散光の強度を、導光板６４の入射面６４ａからの距離に寄らず、平均化させることができる。なお、図示せぬ導光板の第１の出射面に形成する凸状のパターンの高さを、導光板の入射面から遠ざかる毎に、相対的に高くする構成としても良い。同様に、図示せぬ導光板の第１の出射面に形成する凹状又は凸状のパターンの間隔を、導光板の入射面から遠ざかる毎に、相対的に密にする構成としても良い。この様な構成にすることでも、導光板の第１の出射面から導出される拡散光の強度を平均化させることができる。
【００６６】
さらに、導光部６０の変形例に係る各導光板に形成された特殊な凹状又は凸状のパターンに係る光学特性について、図１７及び図１８を参照しながら具体的に説明する。導光板６５のように、四角錐から成る凹状のパターンが、最下部に矩形状から成る面を有することにより、第１の出射面６５ｂ及び第１の出射面６５ｃから、効率良く拡散光を導出させることができる。具体的には、入射面６５ａから入射された光の一部は、例えば第１の出射面６５ｂに形成されたパターン６５ｄの最下部６５ｆに照射され、入射面６５ａから遠ざかる方向であり且つ第１の出射面６５ｃ側に反射される。同様に、入射面６５ａから入射された光の一部は、例えば第１の出射面６５ｃに形成されたパターン６５ｅの最下部６５ｉに照射され、入射面６５ａから遠ざかる方向であり且つ第１の出射面６５ｂ側に反射される。したがって、入射面６５ａから入射された光を、より効率良く拡散光に変換して、第１の出射面６５ｂ及び第１の出射面６５ｃから導出させることができる。
【００６７】
また、導光部６０の変形例に係る各導光板に形成された特殊な凹状又は凸状のパターンに係る光学特性に関し、凹状のパターンが、仮に純粋な四角錐形状である場合、該四角錐の最下部の近傍で発生した拡散光は、その先端部分における一面６５ｇから対向する他面６５ｈまでの距離が極めて短いことから、最下部の近傍での多重反射により拡散光が大きく減衰し、第１の出射面６５ｂ又は第１の出射面６５ｃから直接導出されない。一方、凹状のパターンが四角錐の最下部に矩形状から成る面を有する場合、該四角錐の最下部の近傍で発生した拡散光は、最下部の近傍における一面６５ｇから対向する他面６５ｈの間に一定の距離があるため、多重反射される前に第１の出射面６５ｂ又は第１の出射面６５ｃから直接導出される。したがって、入射面６５ａから入射された光をより効率良く導出させることができる。
【００６８】
以上、第２の実施形態に係る照明装置２によれば、前述した第１の実施形態に係る照明装置１と同様の作用効果を得ることができる。具体的には、例えば、導光部６０に設けられる導光板６１は、図５及び図６を参照しながら説明した導光部５０に設けられる導光板５１と同様の光学特性を有し、導光板６１の入射面６１ａから入射された光源３１の光を、該導光板６１の内部において多重反射により減衰させることなく、各出射面から所定の放射角度で導出させることができる。
【００６９】
さらに、第２の実施形態に係る照明装置２によれば、図１６（ａ）に示す導光板６３のように、導光板６３の第１の出射面６３ｂに形成されたパターン６３ｐに、導光板６３の入射面６３ａから入射された光源３１の光を照射させることにより拡散光を発生させ、該拡散光を第１の出射面６３ｃから導出させることができる。したがって、第２の実施形態に係る照明装置２によれば、眩しさが抑制された拡散光を略均一な面発光の光として用いることができる。なお、もし導光板６３にパターン６３ｐを設けなければ、導光板６３の入射面６３ａに交差した各第１の出射面は、導光板６３の入射面６３ａに対向した各第２の出射面と比較して、導光板６１の内部から直接導出される光源３１の光の光量が相当少ない。しかしながら、導光板６３の入射面６３ａに交差した任意の第１の出射面に例えば凹状のパターンを設けることにより、その任意の第１の出射面に対向した第１の出射面から拡散光を導出させることができる。したがって、導光板６３の各第１の出射面及び各第２の出射面からそれぞれ導出される光の光量の差が抑制されることから、導光板６３に複数設けられた各出射面から導出される光の光量を平均化することができる。
【００７０】
また、第２の実施形態に係る照明装置２によれば、図１５に示す導光板６１のように、パターン６１ｐを、導光板６１の第１の出射面６１ｂと第１の出射面６１ｃに対して対面非同一に形成することにより、導光板６１の第１の出射面６１ｂ又は第１の出射面６１ｃから視認可能なパターン６１ｐの総数を増加させることができる。したがって、第２の実施形態に係る照明装置２によれば、眩しさが抑制され且つ明暗の差が抑制された拡散光を略均一な面発光の光として用いることができる。
【００７１】
同様に、第２の実施形態に係る照明装置２によれば、図１６（ｂ）に示す導光板６４のように、光源３１の光の強度が導光板６４の入射面６４ａから遠ざかる毎に減衰することを考慮して、パターン６４ｐの深さを、導光板６４の第１の出射面６４ｂと第１の出射面６４ｃに対して導光板６４の入射面６４ａから遠ざかる毎に相対的に深くする構成とすることにより、相対的に大きな拡散光を発生させることができる。したがって、第２の実施形態に係る照明装置２によれば、眩しさが抑制され且つ明暗の差が抑制された拡散光を導光板６４の入射面６４ａからの距離に寄らず平均化させた均一な面発光の光として用いることができる。
【００７２】
同様に、第２の実施形態に係る照明装置２によれば、導光板の第１の出射面に形成する凸状のパターンの高さを導光板の入射面から遠ざかる毎に相対的に高くする構成としたり、導光板の第１の出射面に形成する凹状又は凸状のパターンの間隔を導光板の入射面から遠ざかる毎に相対的に密にする構成とすることができる。したがって、第２の実施形態に係る照明装置２によれば、眩しさが抑制され且つ明暗の差が抑制された拡散光を導光板の入射面からの距離に寄らず平均化させた均一な面発光の光として用いることができる。
【００７３】
次に、本発明の第２の実施形態の照明装置２に設けられた導光板の製造方法について、具体的に説明する。
【００７４】
導光板の製造方法には、例えば超音波加工、加熱加工、切削加工、レーザ加工、成型加工、及びシルク印刷加工を用いることができる。したがって、導光板の仕様やコスト及び必要数量等に応じて、各加工方法を選択することにより、凹状又は凸状のパターンを導光板の主面に精度良く安定的に形成することができる。以下、各製造方法について説明する。超音波加工では、導光板の主面に当接させた超音波加工用ホーンの超音波の振動を用いて、導光板の主面を部分的に溶融させることにより、該主面に凹状のパターンを形成する。また、加熱加工では、導光板の主面に当接させた加工具の熱を用いて、導光板の主面を部分的に溶融させることにより、該主面に凹状のパターンを形成する。同様に、切削加工では、導光板の主面に当接しながら回転又は付勢させた切削工具を用いて、導光板の主面を部分的に削り取ることにより、該主面に凹状のパターンを形成する。同様に、レーザ加工では、導光板の主面に集光させたレーザ光の熱を用いて、導光板の主面を部分的に溶融させることにより、該主面に凹状のパターンを形成する。同様に、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の主面に凹状のパターン、凸状のパターン、又は凹状及び凸状のパターンを形成する。
【００７５】
また、導光板の製造方法に関し、シルク印刷加工では、導光板の主面に対して所定の孔が開口した版を当接させ、孔を介して硬化性の樹脂を主面に付着させて、該主面を部分的に樹脂で被覆させることにより、該主面に凸状のパターンを形成する。また、成型加工又はシルク印刷加工に用いる導光板の基材である樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、例えば成型加工により導光板の外形形状のみを形成した上で、例えば超音波加工により導光板の主面に凹状のパターンを形成しても良い。同様に、例えば成型加工により導光板の外形形状のみを形成した上で、例えばシルク印刷加工により導光板の主面に凸状のパターンを形成しても良い。
【００７６】
最後に、本発明の第１及び第２の実施形態の各照明装置の構成と主な作用効果について、請求項毎に説明する。
【００７７】
請求項１に記載の照明装置１又は照明装置２は、外部から電力が供給される受電部１０と、受電部１０と接続され、電力を所定の駆動電力に変換する電源部２０と、電源部２０と接続され、駆動電力により発光する光源部３０と、電源部２０及び光源部３０を収納する筐体部４０と、入射面から入射させた光源部の光を出射面から導出させる板状の導光板を筐体部の一端から突出して設けた導光部５０又は６０とを有し、導光板は、入射面と隣接し直交した第１の出射面と、入射面に対向した第２の出射面とを備え、第２の出射面は、筐体部の径方向の外側に設けられた曲面と、筐体部の径方向の内側に設けられ入射面の法線方向に対して所定の角度で傾斜した平面とが接した位置が、光源部から該光源部に直交する方向に向かって最も離間していることを特徴としている。
【００７８】
この様な請求項１に記載の構成の照明装置１又は照明装置２によれば、導光板の入射面から入射された光源の光を、該導光板の内部において多重反射により減衰させることなく、出射面から所定の放射角度で導出させることができる。例えば、図１０に示す様に、導光板５７では、入射面５７ａの中央に配置された光源３１ｄの光を、筐体４０の径方向の外側に効果的に伝播させることができる。すなわち、光源３１ｄから導出された光は、導光板５７の入射面５７ａから入射され、入射面５７ａの法線方向に対して所定の角度で傾斜した平面から成る第２の出射面５７ｑで反射した後に、筐体部４０の径方向の外側に設けられた曲面から成る第２の出射面５７ｒから導出される。したがって、十字状の導光板５７の入射面５７ａの中央に配置された光源３１ｄの光の一部を、多重反射を抑制して筐体４０の径方向の外側に効率良く伝播させることができる。
【００７９】
請求項２に記載の照明装置１又は照明装置２は、請求項１に従属し、第２の出射面の平面と第１の出射面とが接した位置は、第２の出射面の曲面と第１の出射面とが接した位置と比して入射面から近いことを特徴としている。
【００８０】
この様な請求項２に記載の構成の照明装置１又は照明装置２によれば、図１０に示す導光板５７において、第２の出射面５７ｑと第１の出射面５７ｐとが接した位置５７ｙが、第２の出射面５７ｒと第１の出射面５７ｓとが接した位置５７ｘと比べて入射面５７ａから近いため、該入射面５７ａから入射された光が第２の出射面５７ｑで反射された後に第２の出射面５７ｒの方向に伝播され易い。
【００８１】
請求項３に記載の照明装置１又は照明装置２は、請求項１に従属し、導光部５０又は６０は、筐体部の径方向の外側に向かって放射状に形成されていることを特徴としている。
【００８２】
この様な請求項３に記載の構成の照明装置１又は照明装置２によれば、例えば図９に示す導光部５０の導光板５７において、図２等に示す筐体４０の径方向の外側に向かって放射状に形成されていることから、導光部５０を一般的なランプ光源に模した立体形状に形成することができる。
【００８３】
請求項４に記載の照明装置１又は照明装置２は、請求項１に従属し、筐体４０の径方向の外側に設けられた導光板の複数の第１の出射面は、隣接して鈍角を成す多面体を形成していることを特徴としている。
【００８４】
この様な請求項４に記載の構成の照明装置１又は照明装置２によれば、例えば図１２に示す導光板５５の様に、第１の出射面５５ｂと第１の出射面５５ｕの間に鈍角を成すように形成された第１の出射面５５ｃ、及び第１の出射面５５ｃと第１の出射面５５ｕの間に鈍角を成すように形成された第１の出射面５５ｎを設けることにより、導光板５５の内部から各第１の出射面に入射する光の角度が臨界角以下になり易くなることから、該導光板５５から光を導出させ易くすることができる。
【００８５】
請求項５に記載の照明装置２は、請求項１に従属し、導光板の出射面の１面以上に、光源部３０の光を拡散光として導出させる凹状又は凸状のパターンが形成されていることを特徴としている。
【００８６】
この様な請求項５に記載の構成の照明装置２によれば、例えば図１６（ａ）に示す導光板６３のように、導光板６３の第１の出射面６３ｂに形成されたパターン６３ｐに、導光板６３の入射面６３ａから入射された光源３１の光を照射させることにより拡散光を発生させ、該拡散光を第１の出射面６３ｃから導出させることができる。したがって、第２の実施形態に係る照明装置２によれば、眩しさが抑制された拡散光を略均一な面発光の光として用いることができる。なお、もし導光板６３にパターン６３ｐを設けなければ、導光板６３の入射面６３ａに交差した各第１の出射面は、導光板６３の入射面６３ａに対向した各第２の出射面と比較して、導光板６１の内部から直接導出される光源３１の光の光量が相当少ない。しかしながら、導光板６３の入射面６３ａに交差した任意の第１の出射面に例えば凹状のパターンを設けることにより、その任意の第１の出射面に対向した第１の出射面から拡散光を導出させることができる。したがって、導光板６３の各第１の出射面及び各第２の出射面からそれぞれ導出される光の光量の差が抑制されることから、導光板６３に複数設けられた各出射面から導出される光の光量を平均化することができる。
【符号の説明】
【００８７】
１，２  照明装置、１０  受電部、１１  口金、１１ａ，４３ｄ  外周面、１１ｂ，４１ｆ  内周面、１２  絶縁ケース、１２ａ  一端、１２ｂ  他端、１２ｃ  収納凹部、１２ｄ，３２ｃ，４１ｂ，４１ｄ，４３ｅ  ネジ孔、２０  電源部、２１  電源回路、２２，２３  配線、３０  光源部、３１，３１ａ，３１ｂ，３１ｃ，３１ｄ，３１ｅ，３１ｆ，３１ｇ  光源、３２  基板、３２ａ  配線穴、３２ｂ  半田付けパッド、４０  筐体部、４１  筐体、４１ａ  配線孔、４１ｃ  基板収納凹部、４１ｅ  放熱面、４２  固定部材、４３  保持部材、４３ａ  連結用切欠、４３ｂ  突起、４３ｃ，５１ｎ，５２ｎ，６１ｎ，６２ｎ  当接面、４４  固定部材、５０，６０  導光部、５１，５２，５３，５４，５５，５７，６１，６２，６３，６４，６５，１００  導光板、５１ａ，５２ａ，５３ａ，５４ａ，５５ａ，５７ａ，６１ａ，６２ａ，６３ａ，６４ａ，６５ａ  入射面、１００ｚ  出射面、５１ｂ，５１ｃ，５１ｄ，５１ｇ，５１ｈ，５１ｉ，５１ｐ，５１ｓ，５１ｔ，５１ｕ，５２ｂ，５２ｃ，５２ｄ，５２ｇ，５２ｈ，５２ｉ，５３ｐ，５３ｓ，５４ｐ，５５ｂ，５５ｃ，５５ｐ，５５ｕ，５５ｍ，５５ｎ，６１ｂ，６１ｃ，６１ｄ，６１ｇ，６１ｈ，６１ｉ，６２ｂ，６２ｃ，６２ｄ，６２ｇ，６２ｈ，６２ｉ，６３ｂ，６３ｃ，６４ｂ，６４ｃ，６５ｂ，６５ｃ  第１の出射面、５１ｅ，５１ｆ，５１ｑ，５１ｒ，５２ｅ，５２ｆ，５３ｑ，５３ｒ，５４ｑ，５４ｒ，５４ｓ，５４ｔ，５４ｕ，５５ｑ，５５ｒ，５５ｓ，５５ｔ，５７ｓ，５７ｐ，６１ｅ，６１ｆ，６２ｅ，６２ｆ  第２の出射面、５１ｖ，５１ｗ，５１ｘ，５１ｙ，５３ｖ，５３ｗ，５３ｘ，５３ｙ，５４ｖ，５４ｗ，５４ｘ，５４ｙ，５５ｖ，５５ｗ，５５ｘ，５７ｒ，５７ｑ  光の出射箇所、５７ｘ，５７ｙ，５７ｚ  位置、５１ｊ，５２ｊ，６１ｊ，６２ｊ  連結用切欠、５１ｍ，５２ｋ，６１ｍ，６２ｋ  切欠面、６１ｐ，６２ｐ，６３ｐ，６４ｐ，６５ｄ，６５ｅ  パターン、６５ｆ，６５ｉ  最下部、６５ｇ  一面、６５ｈ  他面、θ１，θ３  入射角、θ２  出射角、θ４  反射角、ｎ１，ｎ２  屈折率、Ｌ１，Ｌ２，Ｌ３，Ｌ４，Ｌ１０１，Ｌ１０２，Ｌ１１１，Ｌ１１２，Ｌ１１３，Ｌ１２１，Ｌ１２２，Ｌ１３１，Ｌ１３２，Ｌ１４１，Ｌ１４２，Ｌ１４３，Ｌ１５１，Ｌ１５２，Ｌ１５３，Ｌ１５４，Ｌ１６１，Ｌ１６２，Ｌ１７１，Ｌ１７２，Ｌ１８１，Ｌ１８２，Ｌ１９１，Ｌ１９２，Ｌ１９３，Ｌ１９４，Ｌ２０１，Ｌ２０２，Ｌ２１１，Ｌ２１２，Ｌ２２１，Ｌ２２２，Ｌ２２３，Ｌ２２４，Ｌ２３１，Ｌ２３２，Ｌ２４１，Ｌ２４２，Ｌ２５１，Ｌ２５２，Ｌ２６１，Ｌ２６２，Ｌ２７１，Ｌ２７２，Ｌ３１１，Ｌ３１２，Ｌ３１３，Ｌ３１４，Ｌ３２１，Ｌ３２２，Ｌ３３１，Ｌ３３２，Ｌ３４１，Ｌ３４２，Ｌ３５１，Ｌ３５２，Ｌ３５３，Ｌ３６１，Ｌ３６２，Ｌ３７１，Ｌ３７２，Ｌ３７３，Ｌ３８１，Ｌ３８２，Ｌ３８３，Ｌ３８４，Ｌ３９１，Ｌ３９２，Ｌ３９３，Ｌ４０１，Ｌ４０２，Ｌ４１１，Ｌ４１２，Ｌ４２１，Ｌ４２２，Ｌ４２３，Ｌ４３１，Ｌ４３２，Ｌ４４１，Ｌ４４２，Ｌ５１１，Ｌ５１２，Ｌ５１３，Ｌ５２１，Ｌ５２２，Ｌ５３１，Ｌ５３２，Ｌ５３３，Ｌ５４１，Ｌ５４２，Ｌ５５１，Ｌ５５２，Ｌ５５３，Ｌ５６１，Ｌ５６２，Ｌ５７１，Ｌ５７２，Ｌ５７３，Ｌ５８１，Ｌ５８２，Ｌ５８３，Ｌ６１１，Ｌ６１２，Ｌ６１３，Ｌ６１４，Ｌ６２１，Ｌ６２２，Ｌ６３１，Ｌ６３２，Ｌ６３３，Ｌ６４１，Ｌ６４２，Ｌ６４３，Ｌ６５１，Ｌ６５２，Ｌ６５３，Ｌ６６１，Ｌ６６２，Ｌ６６３，Ｌ６６４，Ｌ６７１，Ｌ６７２，Ｌ６８１，Ｌ６８２，Ｌ６９１，Ｌ６９２，Ｌ８０１，Ｌ８０２，Ｌ８０３，Ｌ８０４，Ｌ８０５，Ｌ８０６，Ｌ８０７，Ｌ８０８，Ｌ８０９，Ｌ８１０，Ｌ８１１，Ｌ８１２  光。
【図１】
0005152939.tif 000002
【図２】
0005152939.tif 000003
【図３】
0005152939.tif 000004
【図４】
0005152939.tif 000005
【図５】
0005152939.tif 000006
【図６】
0005152939.tif 000007
【図７】
0005152939.tif 000008
【図８】
0005152939.tif 000009
【図９】
0005152939.tif 000010
【図１０】
0005152939.tif 000011
【図１１】
0005152939.tif 000012
【図１２】
0005152939.tif 000013
【図１３】
0005152939.tif 000014
【図１４】
0005152939.tif 000015
【図１５】
0005152939.tif 000016
【図１６】
0005152939.tif 000017
【図１７】
0005152939.tif 000018
【図１８】
0005152939.tif 000019